(57)【特許請求の範囲】
【請求項１】
複数の電線のそれぞれの端末に圧着された端子を収納するハウジングを備えるコネクタにおいて、
前記ハウジング内に装着し前記端子を互いに所定の間隔をあけて整列することができるように形成する端子整列部材を前記ハウジング内に着脱自在に設け、前記端子整列部材を、前記各端子間におけるインピーダンスが所望のインピーダンスになる誘電率を有する材料にて形成し、
さらに、前記端子整列部材に、隣接する前記端子間に入り込み形成され前記各端子間を分離保持する境界壁を設けるとともに、前記端子間に突出する前記各境界壁の先端が、前記各端子間において該各端子の中心を結ぶ線よりも外側に位置するように形成し、
且つ、前記端子整列部材の前記各境界壁間に、前記端子整列部材の軸方向に沿って凹状に形成された端子収納部を端子ガイド用として設けるとともに、前記端子収納部の前記軸方向の中間部に、前記各端子を抱え込むように保持する端子保持部を形成し、
且つ、前記端子整列部材における前記装着の開始側となる端部と、前記端子保持部よりも前記端部側となる前記端子整列部材の前記軸方向における前記中間部とに、前記各端子の前記軸方向への移動を規制する端子位置決め部をそれぞれ設ける
ことを特徴とするコネクタ。
【発明の詳細な説明】
【技術分野】
【０００１】
本発明は、ケーブルの接続に用いられるコネクタに関する。
【背景技術】
【０００２】
従来、例えば、シールドケーブル同士を接続する際に、信号の伝送ロスの防止や、ノイズの発生を防止するために、コネクタのインピーダンスを、接続し合うシールドケーブルのインピーダンスに合わせる技術として、特許文献１の図１に図示するような技術が知られている。
特許文献１の図１に図示するコネクタは、導電性を有するアダプタ２４を、必要に応じて誘電体２２の外周に取り付け、端子２１と外導体シェル２３の断面比を変えることによってコネクタのインピーダンスを調整するものである。
【０００３】
特許文献１に開示された技術以外で、コネクタのインピーダンスを調整する技術として、例えば、特許文献２に開示された技術が知られている。
特許文献２に開示されたシールドコネクタは、図１２に図示するように、シールドケーブル１１０と、端子１２０と、インナーハウジング１３０と、外導体シェル１４０とを備えて構成されている。
シールドケーブル１１０は、導体１１１ａの外側に絶縁被覆層１１１ｂを被覆して形成される信号線１１１と、複数本の銅素線を撚り合わせて形成されるドレイン線１１２とを金属箔１１３で覆い、金属箔１１３の外側に絶縁外皮１１４を被覆して形成されている。
インナーハウジング１３０は、合成樹脂により成形され、内部に端子１２０を収納可能な端子収納室１３１が形成されている。
外導体シェル１４０は、導電性を有する金属板を板金加工により形成し、インナーハウジング１３０の外側に装着可能な形状に形成されている。
【先行技術文献】
【特許文献】
【０００４】
【特許文献１】特開２００１−２８３９９９号公報
【特許文献２】特開２００３−１７３８２８号公報
【発明の概要】
【発明が解決しようとする課題】
【０００５】
従来技術において、信号の伝送ロスや、ノイズの発生、クロストークの発生は、コネクタの端子間においても起こり得ることが知られており、この対策として、端子間におけるインピーダンスを整合させることが行われている。
【０００６】
コネクタの端子間におけるインピーダンスの整合は、端子の間隔と、コネクタのインナーハウジングの誘電率を調整することにより行われている。ここで、コネクタの種類や用途によってコネクタの形状が決まっており、端子の間隔が確定している場合は、インナーハウジングの材料を、端子間におけるインピーダンスが所望のインピーダンスになる誘電率を有する材料に変更し、端子間におけるインピーダンスを整合する必要がある。
【０００７】
しかしながら、コネクタ毎に異なる材料を用いてハウジングを形成したのでは、コネクタの製造コストが嵩んでしまうという問題点があった。このような問題点から、従来技術にあっては、端子間におけるインピーダンスの整合を容易に行うことができないという問題点があった。
【０００８】
その他、従来技術において、インピーダンスの調整は、ハウジングの外側に装着される外導体シェルによって行われている。しかしながら、このような方法においては、コネクタのサイズがコネクタ毎に変化してしまうという問題点があった。
【０００９】
さらに、従来技術にあっては、下記の問題点も有している。
従来技術において、複数の電線の端末に端子を圧着するために、ケーブルの端末において絶縁外皮を剥いで複数の電線を露出させ、複数の電線の撚り合わせをほどく必要がある。ここで、複数の電線の撚り合わせをほどいた部分は、ノイズの影響を受け易く、インピーダンスの不整合を起こす虞がある。このため、従来技術では、複数の電線の撚り合わせをほどく長さを短くすることが行われている。
【００１０】
しかしながら、複数の電線の撚り合わせをほどく長さを短くすると、複数の電線のそれぞれの端末に圧着された端子をハウジングの端子収納室に挿入する際に、端子を圧着した電線を１本ずつ挿入することが困難である。このため、端子と電線を整列させ、各端子すべてを一括してハウジングの端子収納室に挿入する作業が必要になってしまう。このことから、ハウジングへの端子の組付けの作業性が悪くなってしまうという問題点があった。
【００１１】
本発明は、上記した事情に鑑みてなされたもので、一つの課題は、製造コストを抑えつつ、端子間におけるインピーダンスの整合を容易に行うことができるコネクタを提供することにある。
他の一つの課題は、ハウジングへの端子の組付けの作業性が良好なコネクタを提供することにある。
【課題を解決するための手段】
【００１２】
上記課題を解決するためになされた請求項１記載の本発明のコネクタは、複数の電線のそれぞれの端末に圧着された端子を収納するハウジングを備えるコネクタにおいて、前記ハウジング内に装着し前記端子を互いに所定の間隔をあけて整列することができるように形成する端子整列部材を前記ハウジング内に着脱自在に設け、前記端子整列部材を、前記各端子間におけるインピーダンスが所望のインピーダンスになる誘電率を有する材料にて形成し、さらに、前記端子整列部材に、隣接する前記端子間に入り込み形成され前記各端子間を分離保持する境界壁を設けるとともに、前記端子間に突出する前記各境界壁の先端が、前記各端子間において該各端子の中心を結ぶ線よりも外側に位置するように形成し、且つ、前記端子整列部材の前記各境界壁間に、前記端子整列部材の軸方向に沿って凹状に形成された端子収納部を端子ガイド用として設けるとともに、前記端子収納部の前記軸方向の中間部に、前記各端子を抱え込むように保持する端子保持部を形成し、且つ、前記端子整列部材における前記装着の開始側となる端部と、前記端子保持部よりも前記端部側となる前記端子整列部材の前記軸方向における前記中間部とに、前記各端子の前記軸方向への移動を規制する端子位置決め部をそれぞれ設けることを特徴とする。
【００１３】
このような特徴を有する本発明は、端子整列部材によって端子が互いに所定の間隔をあけて整列する。また、端子整列部材は、ハウジング内に着脱自在に設けられ、各端子間におけるインピーダンスが所望のインピーダンスになる誘電率を有する材料にて形成される。これにより、各端子間におけるインピーダンスが所望のインピーダンスになる誘電率を有する材料にて形成された端子整列部材がハウジング内に装着される。
【００１５】
また、本発明は、境界壁が隣接する端子間に入り込み形成され、境界壁によって各端子間を分離保持するようになる。そして、端子間に突出する各境界壁の先端が、各端子間において各端子の中心を結ぶ線よりも外側に位置するようになる。
【００１７】
また、本発明は、端子整列部材の各境界壁間に、端子整列部材の軸方向に沿って凹状に形成された端子収納部が設けられる。端子収納部には、端子が収納されることになる。
【００１９】
また、本発明によれば、端子収納部に収納された端子は、端子保持部に抱え込まれるように保持される。また、本発明によれば、上記端子は端子位置決め部により位置決めされ、軸方向への移動が規制される。
【発明の効果】
【００２０】
請求項１に記載された本発明によれば、各端子間におけるインピーダンスが所望のインピーダンスになる誘電率を有する材料にて形成された端子整列部材をハウジングに装着することにより、各端子間におけるインピーダンスの整合を図ることができる。すなわち、コネクタ毎に端子整列部材の材料を変更するだけで、各端子間におけるインピーダンスを所望のインピーダンスにすることができる。このことから、コネクタ毎にハウジングの材料を変更する必要がなくなり、ハウジングの材料の選択が容易になる。したがって、コネクタの製造コストを抑えつつ、端子間におけるインピーダンスの整合を容易に行うことができるという効果を奏する。
また、本発明によれば、インピーダンスの整合は、端子整列部材によってなされるため、ハウジングの外側に外導体シェルを設ける必要がなくなる。これにより、コネクタのサイズが、コネクタ毎に変化することがなくなる。したがって、常に均一なサイズのコネクタを提供することができるという効果を奏する。
さらに、本発明によれば、端子整列部材によって、端子を互いに所定の間隔をあけて整列することにより、複数の電線すべてをハウジングに一括して挿入する作業を容易に行うことができる。したがって、ハウジングへの端子の組付けの作業性を良好にすることができるという効果を奏する。
【００２１】
また、本発明によれば、境界壁が隣接する端子間に入り込み形成され、境界壁によって各端子間を分離保持するようになる。これにより、各端子間を確実に絶縁状態におくことができる。そして、端子間に突出する各境界壁の先端が、各端子間において各端子の中心を結ぶ線よりも外側に位置するようになっているため、各境界壁によって各端子を確実にガイドすることができる。これにより、各端子を互いに所定の間隔をあけて整列することができる。したがって、ハウジングへの端子の組付けの作業性を良好にすることができるという効果を奏する。
【００２２】
また、本発明によれば、端子収納部は、端子整列部材の各境界壁間に、端子整列部材の軸方向に沿って凹状に形成されるため、端子整列部材の軸方向に直交する方向から端子を端子収納部に収納することができる。これにより、各端子を１本ずつ端子整列部材に組み付けることができるようになる。したがって、端子の組付けの作業性を、より良好にすることができるという効果を奏する。
【００２３】
また、本発明によれば、端子は端子保持部に抱え込まれるように保持されるため、各端子が端子収納部に組み付けられた状態を確実に保持することができる。これにより、各端子すべてをハウジングに一括して挿入する作業を容易に行うことができる。したがって、ハウジングへの端子の組付けの作業性を良好にすることができるという効果を奏する。
また、本発明によれば、端子を端子保持部に装着するだけで端子が端子整列部材に保持されるので、端子整列部材への端子の組み付けを容易に行うことができるという効果を奏する。また、本発明によれば、上記端子を端子位置決め部により位置決めし軸方向への移動を規制することができるという効果を奏する。
【図面の簡単な説明】
【００２４】
【図１】本発明のコネクタの実施例１を示す分解斜視図である。
【図２】ハウジングの斜視図である。
【図３】ハウジングの断面図である。
【図４】端子整列部材の斜視図及び側面図である。
【図５】コネクタの背面図である。
【図６】リテーナーの斜視図及び平面図である。
【図７】コネクタの斜視図である。
【図８】本発明のコネクタの実施例２を示す分解斜視図及び断面図である。
【図９】端子整列部材の斜視図及び平面図である。
【図１０】コネクタの組み立て作業の手順を説明する図である。
【図１１】コネクタの斜視図及び断面図である。
【図１２】従来例の分解斜視図である。
【発明を実施するための形態】
【００２５】
以下、図１−図７を参照しながら、本発明に係るコネクタの実施例１について、また、図８−図１１を参照しながら、本発明に係るコネクタの実施例２について、それぞれ説明する。
【実施例１】
【００２６】
以下、図１−図７を参照しながら実施例１を説明する。
図１は本発明のコネクタの実施例１を示す分解斜視図、図２はハウジングの斜視図、図３はハウジングを示す図であって、（ａ）は図２におけるＡ−Ａ間断面図、（ｂ）は図２におけるＢ−Ｂ間断面図、（ｃ）は図２におけるＣ−Ｃ間断面図、図４は端子整列部材を示す図であって、（ａ）は端子整列部材の斜視図、（ｂ）は端子整列部材の側面図、図５は図１に図示するコネクタを組み立てた状態における背面図、図６はリテーナーを示す図であって、（ａ）はリテーナーの斜視図、（ｂ）はリテーナーの平面図、図６はコネクタの斜視図であって、（ａ）はリテーナーの仮係止状態を示す図、（ｂ）はリテーナーの本係止状態を示す図である。
なお、図中の矢印は、前後、上下、左右の各方向を示している（矢印の各方向は一例であるものとする）。
【００２７】
図１において、引用符号１は、本発明のコネクタの実施例１を示している。コネクタ１は、特に限定するものではないが、本実施例では、雄コネクタであるものとする。
コネクタ１は、ケーブル（図示せず）と、端子２と、ハウジング３と、端子整列部材４と、リテーナー５とを備えて構成されている。
以下、コネクタ１の各構成について説明する。
【００２８】
まず、ケーブルについて説明する。
ケーブルは、本実施例では特に図示しないが、複数本（本実施例では４本）の電線と、絶縁外皮とを備えて構成されている。
電線は、導体と、導体上に被覆される絶縁被覆とを備えて構成されている。複数本の電線は、撚り合わせられている。
絶縁外皮は、撚り合わせられた複数本の電線の外側に被覆形成されている。
【００２９】
つぎに、端子２について説明する。
端子２は、導電性を有する金属板を板金加工して図１に図示するような形状に形成されている。端子２は、特に限定するものではないが、本実施例では、雄端子であるものとする。端子２は、図１１に図示するように、電線の導体に圧着される導体圧着部６と、接続相手となるコネクタの雌端子と電気的に接続される電気接続部７と、導体圧着部６と電気接続部７とを連結する連結部８とを備えて構成されている。
【００３０】
つぎに、ハウジング３について説明する。
ハウジング３は、合成樹脂からなり、図１−図３に図示するように、上壁９と、底壁１０と、左側壁１１と、右側壁１２と、前壁１３と、後壁１４とを備えた略箱状に形成されている。
【００３１】
ハウジング３の内部には、図３に図示するように、複数（本実施例では４つ）の端子収納室１５と、各端子収納室１５に連通する端子整列部材装着部１６とが形成されている。
各端子収納室１５は、図３に図示するように、ハウジング３の軸方向に沿って前端から後端に延び、円筒状に形成されている。各端子収納室１５は、端子２の端子圧着部６と連結部８とを収納可能な大きさに形成されている。各端子収納室１５は、ハウジング３において、上下二段に分かれて配置され、上段と下段には、それぞれ、２つの端子収納室１５が並んで配列されている。各端子収納室１５は、内壁の一部（本実施例では、図５に図示するように、ハウジング３の軸方向から視たときの４分の１の部分）が切り欠かれており、端子整列部材装着部１６に連通している。
端子整列部材装着部１６は、図３に図示するように、ハウジング３の中心軸方向に沿って前端から後端に延び、断面略十字形に形成されている。端子整列部材装着部１６は、後述する端子整列部材４の外形に合うように形成されている。
【００３２】
上壁９と底壁１０のそれぞれには、図３（ａ）に図示するように、端子収納室１５に収納された端子２に係合可能に形成された一対の端子係合片１７が形成されている。また、上壁９と底壁１０のそれぞれの内面には、図３（ａ）に図示するように、ガイド溝２７が形成されている。ガイド溝２７は、後述する端子整列部材４のガイドリブ２６が嵌合することができるような溝状に形成されている。
右側壁１２には、図１及び図２に図示するように、リテーナー５が挿入されるリテーナー挿入口１８が貫通形成されている。左側壁１１と右側壁１２のそれぞれの内面には、ガイド溝２７が形成されている。
前壁１３には、図１−図３に図示するように、端子収納室１５に連通する貫通孔１９が形成されている。貫通孔１９は、端子収納室１５に端子２を収納したときに、電気接続部７が挿通することができるように形成されている。貫通孔１９は、本実施例では、端子収納室１５の数に対応して４つ形成されている。
後壁１４には、図３に図示するように、端子２を端子収納室１５に挿入する端子挿入口２０と、端子整列部材４を端子整列部材装着部１６に挿入する端子整列部材挿入口２１とが形成されている。
【００３３】
つぎに、端子整列部材４について説明する。
端子整列部材４は、合成樹脂からなり、ハウジング３に着脱自在となるように設けられている。端子整列部材４は、図１及び図４に図示するように、ハウジング３内に形成された端子整列部材装着部１６（図３参照）に合うような形状であって、断面略十字形に形成されている。端子整列部材４は、各端子収納室１５の内壁の一部切り欠かれた部分に合致するような形状に形成されている。図５に図示するように、端子整列部材４を、ハウジング３の端子整列部材装着部１６に装着すると、端子整列部材４によって、上記一部切り欠かれた部分が埋められ、各端子２の外周に、端子収納室１５の内壁が形成されるようになる。
【００３４】
端子整列部材４は、ハウジング３の端子収納室１５に収納された各端子２間におけるインピーダンス値が、所望のインピーダンス値になる誘電率を有する材料にて形成されている。
例えば、端子整列部材４の誘電率を低くして各端子２間におけるインピーダンスを整合しようとする場合には、端子整列部材４は、合成樹脂のなかでも低い誘電率を有する材料にて形成されることになる。合成樹脂のなかで、他の合成樹脂と比較して低い誘電率を有するものとして、例えば、ポリテトラフルオロエチレン（商品名：テフロン（登録商標））がある。
【００３５】
端子整列部材４は、図１及び図４に図示するように、境界壁２２と、端子収納部２３と、リテーナー挿通孔２４とを備えて構成されている。
境界壁２２は、本実施例では、図４（ａ）及び図５に図示するように、端子整列部材４の中心軸から、上下左右の４方向に突出し、端子整列部材４の軸方向（図４（ａ）においては前後方向）に沿って、端子整列部材４の前端から、端子整列部材４の後端まで延びて形成されている。
【００３６】
各境界壁２２は、図５に図示するように、隣接する端子２間に入り込み形成され、各端子２間を分離保持するように設けられている。
各境界壁２２は、図５に図示するように、各境界壁２２の先端２５が、各端子２間において、この各端子２の中心を結ぶ線Ｄ，Ｅ，Ｆ，Ｇよりも外側に位置するように形成されている。
【００３７】
各境界壁２２の先端２５には、図１及び図４に図示するように、ガイドリブ２６が突設されている。各ガイドリブ２６は、端子整列部材４の軸方向（図４（ａ）においては前後方向）に沿って、境界壁２２の前端から、境界壁２２の後端まで延びて形成されている。各ガイドリブ２６は、図５に図示するように、ガイド溝２７に嵌合することができるような形状に形成されている。端子整列部材４にガイドリブ２６を設けることにより、図５に図示するように、端子整列部材４を端子整列部材装着部１６に装着したときに、端子整列部材装着部１６内における端子整列部材４の位置決めをすることができる。
【００３８】
端子収納部２３は、図１及び図４に図示するように、各境界壁２２間に、端子整列部材４の軸方向に沿って凹状に形成されている。各端子収納部２３は、各端子２を収納する部分として形成されている。各端子収納部２３は、各端子２をガイドずることができるように形成されている。
【００３９】
リテーナー挿通孔２４は、図１及び図４に図示するように、端子整列部材４の軸方向に直交する方向に端子整列部材４の左側部から右側部へ抜けるように貫通形成されている。リテーナー挿通孔２４は、後述するリテーナー５を挿通することができるように形成されている。リテーナー挿通孔２４の内面には、図４に図示するように、リテーナーガイド溝２８と、リテーナー係合部２９とが形成されている。
リテーナーガイド溝２８は、図４に図示するように、後述するリテーナー５のリテーナーガイドリブ３０が嵌合することができるような溝状に形成されている。
リテーナー係合部２９は、図４に図示するように、後述するリテーナー５の係合突起３１（図６参照）が係合することができるような形状に形成されている。
【００４０】
つぎに、リテーナー５について説明する。
リテーナー５は、合成樹脂からなり、図１及び図６に図示するように、略板状に形成された部材である。リテーナー５は、ハウジング３のリテーナー挿入口１８と端子整列部材４のリテーナー挿通孔２４に挿通することができるように形成されている。
リテーナー５には、図６に図示するように、リテーナーガイドリブ３０と、係合突起３１とが形成されている。
リテーナーガイドリブ３０は、図６（ａ）に図示するように、リテーナー５の左側面に設けられ、リテーナー５の軸方向（図５においては前後方向）に沿って形成されている。
係合突起３１は、図６（ｂ）に図示するように、リテーナー５の右側面３３に突設され、図４に図示する端子整列部材４のリテーナー挿通孔２４に形成されたリテーナー係合部２９に係合することができるような形状に形成されている。
【００４１】
つぎに、コネクタ１の組み立て作業の手順について説明する。
まず、端末にコネクタ１（図１参照）が接続されるケーブルの端末において、複数の電線を覆っている絶縁外皮を剥ぎ取り、複数の電線を露出させる。そして、撚り合わせられた状態の複数の電線をほどく。しかる後、複数の電線のそれぞれの端末において、電線の絶縁被覆を剥ぎ取り、導体を露出させる。そして、各導体に、図１に図示する端子２の導体圧着部６を加締めによって圧着する。
【００４２】
そして、図１に図示する矢印Ｈの指示する方向から、端子整列部材４をハウジング３内に挿入し、端子整列部材４を端子整列部材装着部１６に装着する。ここで、端子整列部材４は、ハウジング３の端子収納室１５に収納する各端子２間におけるインピーダンス値が、所望のインピーダンス値になる誘電率を有する材料にて形成されたものを用いる。
さらに、図１に図示する矢印Ｊの指示する方向から、リテーナー５をハウジング３内に挿入する。そして、リテーナー５を、図７（ａ）に図示するように、リテーナー挿入口１８から途中まで挿入し、仮係止状態に置く。
【００４３】
そして、図１に図示する矢印Ｋの指示する方向から、各端子２を、図３に図示する端子収納室１５に挿入する。各端子２は、それぞれ、図３に図示する端子挿入口２０から挿入され、端子収納室１５内に収納されると、図３（ｂ）に図示する端子係合片１７が係合し、端子収納室１５からの抜けが防止される。また、端子２の電気接触部７は、貫通孔１９に挿通され、図７（ａ）に図示するように、ハウジング３の外部に露出するようになる。
【００４４】
しかる後、図７（ａ）に図示するように、ハウジング３に対して仮係止状態にあるリテーナー５を、図７（ａ）に図示する矢印Ｌの指示する方向に押し込む。すると、リテーナー５は、図４に図示する端子整列部材４のリテーナー挿通孔２４に挿通される。そして、図６（ｂ）に図示するリテーナー５の係合突起３１が、図４に図示するリテーナー挿通孔２４内のリテーナー係合部２９に係合する。これにより、リテーナー５は、図７（ｂ）に図示するように、ハウジング３に対して、本係止状態に置かれる。リテーナー５をハウジング３に本係止状態にすることにより、各端子２が端子収納室１５内に保持され、ハウジング３から外れるのが防止されるとともに、端子整列部材４が端子整列部材装着部１６に保持され、ハウジングから外れるのが防止される。
以上により、コネクタ１の組み立て作業が完了する。
【００４５】
以上、図１−図７を参照しながら説明してきたように、本発明によれば、各端子２間におけるインピーダンスが所望のインピーダンスになる誘電率を有する材料にて形成された端子整列部材４をハウジング３に装着することにより、各端子２間におけるインピーダンスの整合を図ることができる。すなわち、コネクタ毎に端子整列部材の材料を変更するだけで、各端子２間におけるインピーダンスを所望のインピーダンスにすることができる。このことから、コネクタ毎にハウジング３の材料を変更する必要がなくなり、ハウジング３の材料の選択が容易になる。
したがって、コネクタの製造コストを抑えつつ、端子間におけるインピーダンスの整合を容易に行うことができるという効果を奏する。
また、本発明によれば、インピーダンスの整合は、端子整列部材４によってなされるため、ハウジング３の外側に外導体シェルを設ける必要がなくなる。これにより、コネクタのサイズが、コネクタ毎に変化することがなくなる。
したがって、常に均一なサイズのコネクタを提供することができるという効果を奏する。
【００４６】
さらに、本発明によれば、境界壁２２が隣接する端子２間に入り込み形成され、境界壁２２によって各端子２間を分離保持するようになる。これにより、各端子２間を確実に絶縁状態におくことができる。そして、端子２間に突出する各境界壁２２の先端２５が、各端子２間において各端子２の中心を結ぶ線よりも外側に位置するようになっているため、各境界壁２２によって各端子２を確実にガイドすることができる。これにより、各端子２を互いに所定の間隔をあけて整列することができる。
したがって、ハウジング３への端子２の組付けの作業性を良好にすることができるという効果を奏する。
【実施例２】
【００４７】
以下、図８−図１１を参照しながら実施例２を説明する。
図８は本発明のコネクタの実施例２を示す図であって、（ａ）はコネクタの分解斜視図、（ｂ）は（ａ）におけるＭ−Ｍ間断面図、図９は端子整列部材を示す図であって、（ａ）は端子整列部材の斜視図、（ｂ）は端子整列部材の平面図、図１０はコネクタの組み立て作業の手順を説明する図であって、（ａ）はケーブルの端末部の斜視図、（ｂ）は端子を端子整列部に組み付ける前の状態を示す図、図１１はコネクタを示す図であって、（ａ）はコネクタの斜視図、（ｂ）は（ａ）におけるＳ−Ｓ間断面図である。
なお、図中の矢印は、前後、上下、左右の各方向を示している（矢印の各方向は一例であるものとする）。
【００４８】
図８（ａ）において、引用符号４１は、本発明のコネクタの実施例２を示している。コネクタ４１は、特に限定するものではないが、本実施例では、実施例１のコネクタ１と嵌合可能な構成及び構造を有する雌コネクタであるものとする。
コネクタ４１は、ケーブル４２と、端子４３と、ハウジング４４と、端子整列部材４５とを備えて構成されている。
以下、コネクタ４１の各構成について説明する。
【００４９】
まず、ケーブル４２について説明する。
ケーブル４２は、図８（ａ）に図示するように、複数本（本実施例では４本）の電線４６と、絶縁外皮４７とを備えて構成されている。
電線４６は、導体４８と、導体４８上に被覆される絶縁被覆４９とを備えて構成されている。複数本の電線４６は、撚り合わせられている。
絶縁外皮４７は、撚り合わせられた複数本の電線４６の外側に被覆されている。
【００５０】
つぎに、端子４３について説明する。
端子４３は、導電性を有する金属板を板金加工して図８（ａ）に図示するような形状に形成されている。端子４３は、特に限定するものではないが、本実施例では、雌端子であるものとする。端子４３は、図８（ａ）に図示するように、電線の導体に圧着される導体圧着部５０と、円筒状に形成され接続相手となるコネクタの雄端子と電気的に接続される電気接続部５１と、導体圧着部５０と電気接続部５１とを連結する連結部５２とを備えて構成されている。
【００５１】
つぎに、ハウジング４４について説明する。
ハウジング４４は、合成樹脂からなり、図８（ａ）に図示するように、筒状に形成されている。
ハウジング４４の内部には、図１１（ｂ）に図示するように、複数（本実施例では４つ）の端子収納室４８と、各端子収納室４８に連通する端子整列部材装着部４９とが形成されている。ハウジング４４の各端子収納室４８及び端子整列部材装着部４９は、特に詳細に構成及び構造を説明しないが、実施例１におけるハウジング６の各端子収納室１５及び端子整列部材装着部１６と基本的に同じような構成及び構造を有している。
【００５２】
つぎに、端子整列部材４５について説明する。
端子整列部材４５は、合成樹脂からなり、ハウジング４４に着脱自在となるように設けられている。端子整列部材４５は、図９に図示するように、ハウジング４４内に形成された端子整列部材装着部４９（図１１（ｂ）参照）に合うような形状であって、断面略十字形に形成されている。端子整列部材４５は、各端子収納室４８の内壁の一部切り欠かれた部分に合致するような形状に形成されている。図１１（ｂ）に図示するように、端子整列部材４５、ハウジング４４の端子整列部材装着部４９に装着すると、端子整列部材４５によって、上記一部切り欠かれた部分が埋められる。これにより、各端子２の外周には、端子収納室１５の内壁が形成されるようになる。
【００５３】
端子整列部材４５は、実施例１における端子整列部材４（図４参照）と同様、ハウジング４４の端子収納室４８に収納された各端子４３間におけるインピーダンス値が、所望のインピーダンス値になる誘電率を有する材料にて形成されている。
例えば、端子整列部材４５の誘電率を低くして各端子４３間におけるインピーダンスを整合しようとする場合には、端子整列部材４５は、合成樹脂のなかでも低い誘電率を有する材料にて形成されることになる。合成樹脂のなかで、他の合成樹脂と比較して低い誘電率を有するものとして、例えば、ポリテトラフルオロエチレン（商品名：テフロン（登録商標））がある。
【００５４】
端子整列部材４５は、図９に図示するように、境界壁５３と、端子収納部５４と、端子位置決め部５５と、端子保持部５６とを備えて構成されている。
境界壁５３は、本実施例では、端子整列部材４５の中心から上下左右の４方向に突出し、端子整列部材４５の軸方向（図９においては前後方向）に沿って前端から後端まで延びるように設けられている。各境界壁５３は、図８（ｂ）に図示するように、隣接する端子４３間に入り込み形成され、各端子４３間を分離保持するように設けられている。
各境界壁５３は、図８（ｂ）に図示するように、各境界壁５３の先端５７が、各端子４３間において、この各端子４３の中心を結ぶ線Ｏ，Ｐ，Ｑ，Ｒよりも外側に位置するように形成されている。各境界壁５３の先端５７には、図８及び図９に図示するように、ガイドリブ５８が突設されている。各ガイドリブ５８は、端子整列部材４５の軸方向に沿って前端から後端まで延びるように設けられている。ガイドリブ５８は、ハウジング４４内に形成されたガイド溝６０（図１１（ｂ）参照）に嵌合することができるように形成されている。
【００５５】
端子収納部５４は、図９に図示するように、各境界壁５３間に、端子整列部材４５の軸方向に沿って凹状に形成され、前端から後端まで延びるように設けられている。各端子収納部５４は、各端子４３を収納する部分として形成されている。各端子収納部５４は、各端子４３をガイドずることができるように形成されている。
【００５６】
端子位置決め部５５は、図９に図示するように、端子整列部材４５の軸方向における前端と、端子整列部材４５の軸方向における中間部とに設けられている。端子位置決め部５５は、各端子４３を端子収納部５４に位置決めし、各端子４３の前後方向への移動を規制することができるように設けられている。
【００５７】
端子保持部５６は、図９に図示するように、各境界壁５３間であって、端子整列部材４５の軸方向における中間部に設けられている。端子保持部５６は、一対の係合アーム５９にて構成されている。一対の係合アーム５９は、端子整列部材４５の軸方向（図９においては前後方向）に直交して互いに向かい合うように配設されている。一対の係合アーム５９は、互いに離間する方向に撓むアーム形状に形成されている。一対の係合アーム５９は、図８（ｂ）に図示するように、各端子４３を抱え込むような形で保持することができるように設けられている。
【００５８】
つぎに、コネクタ４１の組み立て作業の手順について説明する。
まず、図１０（ａ）に図示するように、ケーブル４２の端末において、複数の電線４６を覆っている絶縁外皮４７を剥ぎ取り、複数の電線４６を露出させる。そして、撚り合わせられた状態の複数の電線４６をほどく。しかる後、複数の電線４６のそれぞれの端末において、絶縁被覆４９を剥ぎ取り、導体４８を露出させる。そして、図１０（ｂ）に図示するように、各導体４８に、端子４３の導体圧着部５０を加締めによって圧着する。
【００５９】
そして、複数の電線４６のそれぞれの端末に圧着した端子４３を、図１０（ｂ）に図示するように、端子整列部材４５の周りに配置する。ここで、端子整列部材４５は、ハウジング４４の端子収納室４８に収納する各端子４３間におけるインピーダンス値が、所望のインピーダンス値になる誘電率を有する材料にて形成されたものを用いる。
【００６０】
しかる後、図１０（ｂ）において、端子整列部材４５の軸方向に直交する方向から端子整列部材４５に対する各端子４３の組み付けを行う。
まず、各端子４３の連結部５２を、端子保持部５６を構成する一対の係合アーム５９の間に挿入する。すると、一対の係合アーム５９が弾性変形し、各端子４３の連結部５２は、一対の係合アーム５９の間に挿入される。これにより、図８に図示するように、各端子４３は、端子保持部５６によって抱え込まれるように保持される。また、各端子４３の電気接続部５１の前端と後端は、端子位置決め部５５に当接するため、前後方向における各端子４３の移動が規制される。これにより、図８に図示するように、各端子４３が端子収納部５４に収納される。
【００６１】
さらに、端子４３を組み付けた端子整列部材４５を、図８（ａ）に図示する矢印Ｎの方向から、ハウジング４４内に挿入し、端子整列部材４５を端子整列部材装着部４９に装着する。これにより、図１１に図示するコネクタ４１が完成する。
以上により、コネクタ４１の組み立て作業が完了する。
【００６２】
以上、図８−図１２を参照しながら説明してきたように、本発明によれば、実施例１と同様の効果を奏する他、下記の効果を奏する。
すなわち、本発明によれば、端子整列部材４５によって、端子４３を互いに所定の間隔をあけて整列することにより、複数の電線４６すべてをハウジング４４に一括して挿入する作業を容易に行うことができる。
したがって、ハウジング４４への端子４３の組付けの作業性を良好にすることができるという効果を奏する。
【００６３】
また、本発明によれば、端子収納部５４は、端子整列部材４５の各境界壁５３間に、端子整列部材４５の軸方向に沿って凹状に形成されるため、端子整列部材４５の軸方向に直交する方向から端子４３を端子収納部４５に収納することができる。これにより、各端子４３を１本ずつ端子整列部材４５に組み付けることができるようになる。
したがって、端子４３の組付けの作業性を、より良好にすることができるという効果を奏する。
【００６４】
また、本発明によれば、端子４３は端子保持部５６に抱え込まれるように保持されるため、各端子４３が端子収納部５４に組み付けられた状態を確実に保持することができる。これにより、各端子４３すべてをハウジング４４に一括して挿入する作業を容易に行うことができる。
したがって、ハウジング４４への端子４３の組付けの作業性を、より良好にすることができるという効果を奏する。
さらに、本発明によれば、端子４３を端子保持部５６に装着するだけで端子４３が端子整列部材４５に保持されるので、端子整列部材４５への端子４３の組み付けを容易に行うことができるという効果を奏する。
【００６５】
この他、本発明は本発明の主旨を変えない範囲で種々変更実施可能なことは勿論である。
【００６６】
上記実施例１，２の説明では、コネクタ１は、雄コネクタに適用され、コネクタ４１は、雌コネクタに適用されるものであったが、これに限らず、次のような構成にしてもよいものとする。
すなわち、実施例１のコネクタ１を雌コネクタに適用し、実施例２のコネクタ４１を雄コネクタに適用してもよいものとする。
【符号の説明】
【００６７】
１…コネクタ（雄コネクタ）、  ２…端子（雄端子）、  ３，４４…ハウジング、  ４，４５…端子整列部材、  ５…リテーナー、  ６，５０…導体圧着部、  ７，５１…電気接続部、  ８，５２…連結部、  ９…上壁、  １０…底壁、  １１…左側壁、  １２…右側壁、  １３…前壁、  １４…後壁、  １５，４８…端子収納室、  １６，４９…端子整列部材装着部、  １７…端子係合片、  １８…リテーナー挿入口、  １９…貫通孔、  ２０…端子挿入口、  ２１…端子整列部材挿入口、  ２２，５３…境界壁、  ２３，５４…端子収納部、  ２４…リテーナー挿通孔、  ２５，５７…先端、  ２６，５８…ガイドリブ、  ２７，６０…ガイド溝、  ２８…リテーナーガイド溝、  ２９…リテーナー係合部、  ３０…リテーナーガイドリブ、  ３１…係合突起、  ３２…左側面、  ３３…右側面、  ４１…コネクタ（雌コネクタ）、  ４２…ケーブル、  ４３…端子（雌端子）、  ４６…電線、  ４７…絶縁外皮、  ５５…端子位置決め部、  ５６…端子保持部、  ５９…係合アーム
【図１】
0006545004.tif 000002
【図２】
0006545004.tif 000003
【図３】
0006545004.tif 000004
【図４】
0006545004.tif 000005
【図５】
0006545004.tif 000006
【図６】
0006545004.tif 000007
【図７】
0006545004.tif 000008
【図８】
0006545004.tif 000009
【図９】
0006545004.tif 000010
【図１０】
0006545004.tif 000011
【図１１】
0006545004.tif 000012
【図１２】
0006545004.tif 000013